(57)【要約】【課題】複数の電子機器がネットワークに接続されたネットワークシステムにおいて、ネットワークを利用して、電子機器の設定操作における操作性を向上させる。【解決手段】第１電子機器１において、第１送信手段により、記憶された設定データとリモコン装置４に割り当てられた識別情報とを対応付けてサーバ装置３に送信し、サーバ装置３において、保存手段により第１電子機器１から送信された設定データと識別情報とを対応付けて保存し、第２電子機器において、設定データ要求手段により設定データの送信要求とリモコン装置４に割り当てられた識別情報とを対応付けてサーバ装置３に送信し、サーバ装置３において、認証手段により第２電子機器２から送信された識別情報が保存された識別情報に該当するか否かについて認証を行い、第２送信手段により識別情報に対応する設定データを第２電子機器２に送信する。【選択図】図１
2008124862.tif 000002
【特許請求の範囲】
【請求項１】
第１電子機器及び第２電子機器とサーバ装置とがネットワークを介して接続されるネットワークシステムにおいて、
一の識別情報が割り当てられるとともに、ユーザによるキー操作を受け付けるキー入力部を備えるリモコン装置を備え、
前記第１電子機器及び前記第２電子機器は、
当該電子機器の設定に関する設定データを記憶する設定データ記憶手段を備え、
前記第１電子機器は、
前記リモコン装置における前記キー入力部のキー操作に基づいて、当該第１電子機器の前記設定データ記憶手段に記憶された前記設定データと、当該リモコン装置に割り当てられた前記識別情報と、を対応付けて、前記ネットワークを介して前記サーバ装置に送信する第１送信手段を備え、
前記サーバ装置は、
前記第１送信手段により前記第１電子機器から送信された前記設定データと前記識別情報とを受信する第１受信手段と、
前記第１受信手段により受信された前記設定データと前記識別情報とを対応付けて保存する保存手段と、
を備え、
前記第２電子機器は、
前記リモコン装置における前記キー入力部のキー操作に基づいて当該第２電子機器の電源をオンオフする電源オンオフ手段と、
前記電源オンオフ手段による電源のオンに応じて、前記保存手段により保存された前記設定データの送信要求と、当該リモコン装置に割り当てられた前記識別情報と、を対応付けて前記ネットワークを介して前記サーバ装置に送信する設定データ要求手段と、
を備え、
前記サーバ装置は、
前記設定データ要求手段により前記第２電子機器から送信された前記識別情報が前記保存手段に保存された識別情報に該当するか否かについて認証を行う認証手段と、
前記認証手段により認証された識別情報に対応する前記設定データを、前記保存手段から抽出して前記第２電子機器に送信する第２送信手段と、
を備え、
前記第２電子機器は、
前記第２送信手段により前記サーバ装置から送信された前記設定データを受信する第２受信手段と、
前記第２受信手段により受信された前記設定データを前記設定データ記憶手段に記憶させるとともに、前記電源オンオフ手段による電源のオフに応じて、前記設定データ記憶手段により記憶された前記設定データを消去する記憶制御手段と、
を備えることを特徴とするネットワークシステム。
【請求項２】
第１電子機器及び第２電子機器とサーバ装置とがネットワークを介して接続されるネットワークシステムにおいて、
一の識別情報が割り当てられるとともに、ユーザによるキー操作を受け付けるキー入力部を備えるリモコン装置を備え、
前記第１電子機器及び前記第２電子機器は、
当該電子機器の設定に関する設定データを記憶する設定データ記憶手段を備え、
前記第１電子機器は、
前記リモコン装置における前記キー入力部のキー操作に基づいて、当該第１電子機器の前記設定データ記憶手段に記憶された前記設定データと、当該リモコン装置に割り当てられた前記識別情報と、を対応付けて、前記ネットワークを介して前記サーバ装置に送信する第１送信手段を備え、
前記サーバ装置は、
前記第１送信手段により前記第１電子機器から送信された前記設定データと前記識別情報とを受信する第１受信手段と、
前記第１受信手段により受信された前記設定データと前記識別情報とを対応付けて保存する保存手段と、
を備え、
前記第２電子機器は、
前記リモコン装置における前記キー入力部のキー操作に基づいて、前記保存手段により保存された前記設定データの送信要求と、当該リモコン装置に割り当てられた前記識別情報と、を対応付けて前記ネットワークを介して前記サーバ装置に送信する設定データ要求手段を備え、
前記サーバ装置は、
前記設定データ要求手段により前記第２電子機器から送信された前記識別情報が前記保存手段に保存された識別情報に該当するか否かについて認証を行う認証手段と、
前記認証手段により認証された識別情報に対応する前記設定データを、前記保存手段から抽出して前記第２電子機器に送信する第２送信手段と、
を備え、
前記第２電子機器は、
前記第２送信手段により前記サーバ装置から送信された前記設定データを受信する第２受信手段と、
前記第２受信手段により受信された前記設定データを、前記設定データ記憶手段に記憶させる記憶制御手段と、
を備えることを特徴とするネットワークシステム。
【請求項３】
第１電子機器及び第２電子機器とサーバ装置とがネットワークを介して接続されるネットワークシステムにおいて、
一の識別情報が割り当てられるとともに、ユーザによるキー操作を受け付けるキー入力部を備えるリモコン装置を複数備え、
前記第１電子機器及び前記第２電子機器は、
当該電子機器の設定に関する設定データを、前記リモコン装置に割り当てられた識別情報別に個別に記憶可能な設定データ記憶手段を備え、
前記第１電子機器は、
前記リモコン装置における前記キー入力部のキー操作に基づいて、当該第１電子機器の前記設定データ記憶手段に記憶された前記設定データと、当該リモコン装置に割り当てられた前記識別情報と、を対応付けて、前記ネットワークを介して前記サーバ装置に送信する第１送信手段を備え、
前記サーバ装置は、
前記第１送信手段により前記第１電子機器から送信された前記設定データと前記識別情報とを受信する第１受信手段と、
前記第１受信手段により受信された前記設定データと前記識別情報とを対応付けて保存する保存手段と、
を備え、
前記第２電子機器は、
前記リモコン装置における前記キー入力部のキー操作に基づいて、前記保存手段により保存された前記設定データの送信要求と、当該リモコン装置に割り当てられた前記識別情報と、を対応付けて前記ネットワークを介して前記サーバ装置に送信する設定データ要求手段を備え、
前記サーバ装置は、
前記設定データ要求手段により前記第２電子機器から送信された前記識別情報が前記保存手段に保存された識別情報に該当するか否かについて認証を行う認証手段と、
前記認証手段により認証された識別情報に対応する前記設定データを、前記保存手段から抽出して前記第２電子機器に送信する第２送信手段と、
を備え、
前記第２電子機器は、
前記第２送信手段により前記サーバ装置から送信された前記設定データを受信する第２受信手段と、
前記第２受信手段により受信された前記設定データを、前記設定データ記憶手段に記憶させる記憶制御手段と、
前記リモコン装置における前記キー入力部のキー操作に応じて、前記設定データ記憶手段に記憶された当該リモコン装置に割り当てられた前記識別情報に対応する前記設定データに基づいて、所定の制御を行う制御手段と、
を備えることを特徴とするネットワークシステム。
【発明の詳細な説明】
【技術分野】
【０００１】
本発明は、複数の電子機器がネットワークに接続されるネットワークシステムに関する。
【背景技術】
【０００２】
近年、テレビや冷蔵庫等の電子機器を、家庭内ＬＡＮ(Local Area Network)やインターネット等のネットワークに接続して利用するネットワークシステムが普及している。このシステムによれば、電子機器間におけるデータのやり取りやファイルの共有、外出先からの遠隔制御、コンテンツのダウンロード等、様々なメリットを得ることができる。
例えば、特許文献１には、データ放送に基づく不揮発性メモリに記憶される視聴者データに、コピーできるデータとコピーできないデータを識別する識別子を放送事業者が付加し、当該コピー属性記述子を判別して、不揮発性メモリに保存される視聴者データがコピー可能かどうかを区別するデジタル放送受信装置が開示されている。これによれば、故障、買い換え時等における視聴者情報などのバックアップに際して、番組連動のポイントなどの不正コピーなどを引き起こすことなく安全に視聴者データをバックアップすることが可能となる。
【特許文献１】特開２００５−３４１００８号公報
【発明の開示】
【発明が解決しようとする課題】
【０００３】
ところで、従来、電子機器を買い換えて新しい電子機器を利用し始める場合等には、新しい電子機器の設定操作を一から行わなければならず、手間がかかり面倒であるという問題があった。
【０００４】
本発明の課題は、複数の電子機器がネットワークに接続されたネットワークシステムにおいて、ネットワークを利用して、電子機器の設定操作における操作性を向上させることである。
【課題を解決するための手段】
【０００５】
上記課題を解決するため、請求項１に記載の発明は、第１電子機器及び第２電子機器とサーバ装置とがネットワークを介して接続されるネットワークシステムにおいて、
一の識別情報が割り当てられるとともに、ユーザによるキー操作を受け付けるキー入力部を備えるリモコン装置を備え、
前記第１電子機器及び前記第２電子機器は、
当該電子機器の設定に関する設定データを記憶する設定データ記憶手段を備え、
前記第１電子機器は、
前記リモコン装置における前記キー入力部のキー操作に基づいて、当該第１電子機器の前記設定データ記憶手段に記憶された前記設定データと、当該リモコン装置に割り当てられた前記識別情報と、を対応付けて、前記ネットワークを介して前記サーバ装置に送信する第１送信手段を備え、
前記サーバ装置は、
前記第１送信手段により前記第１電子機器から送信された前記設定データと前記識別情報とを受信する第１受信手段と、
前記第１受信手段により受信された前記設定データと前記識別情報とを対応付けて保存する保存手段と、
を備え、
前記第２電子機器は、
前記リモコン装置における前記キー入力部のキー操作に基づいて当該第２電子機器の電源をオンオフする電源オンオフ手段と、
前記電源オンオフ手段による電源のオンに応じて、前記保存手段により保存された前記設定データの送信要求と、当該リモコン装置に割り当てられた前記識別情報と、を対応付けて前記ネットワークを介して前記サーバ装置に送信する設定データ要求手段と、
を備え、
前記サーバ装置は、
前記設定データ要求手段により前記第２電子機器から送信された前記識別情報が前記保存手段に保存された識別情報に該当するか否かについて認証を行う認証手段と、
前記認証手段により認証された識別情報に対応する前記設定データを、前記保存手段から抽出して前記第２電子機器に送信する第２送信手段と、
を備え、
前記第２電子機器は、
前記第２送信手段により前記サーバ装置から送信された前記設定データを受信する第２受信手段と、
前記第２受信手段により受信された前記設定データを前記設定データ記憶手段に記憶させるとともに、前記電源オンオフ手段による電源のオフに応じて、前記設定データ記憶手段により記憶された前記設定データを消去する記憶制御手段と、
を備えることを特徴とする。
【０００６】
請求項２に記載の発明は、第１電子機器及び第２電子機器とサーバ装置とがネットワークを介して接続されるネットワークシステムにおいて、
一の識別情報が割り当てられるとともに、ユーザによるキー操作を受け付けるキー入力部を備えるリモコン装置を備え、
前記第１電子機器及び前記第２電子機器は、
当該電子機器の設定に関する設定データを記憶する設定データ記憶手段を備え、
前記第１電子機器は、
前記リモコン装置における前記キー入力部のキー操作に基づいて、当該第１電子機器の前記設定データ記憶手段に記憶された前記設定データと、当該リモコン装置に割り当てられた前記識別情報と、を対応付けて、前記ネットワークを介して前記サーバ装置に送信する第１送信手段を備え、
前記サーバ装置は、
前記第１送信手段により前記第１電子機器から送信された前記設定データと前記識別情報とを受信する第１受信手段と、
前記第１受信手段により受信された前記設定データと前記識別情報とを対応付けて保存する保存手段と、
を備え、
前記第２電子機器は、
前記リモコン装置における前記キー入力部のキー操作に基づいて、前記保存手段により保存された前記設定データの送信要求と、当該リモコン装置に割り当てられた前記識別情報と、を対応付けて前記ネットワークを介して前記サーバ装置に送信する設定データ要求手段を備え、
前記サーバ装置は、
前記設定データ要求手段により前記第２電子機器から送信された前記識別情報が前記保存手段に保存された識別情報に該当するか否かについて認証を行う認証手段と、
前記認証手段により認証された識別情報に対応する前記設定データを、前記保存手段から抽出して前記第２電子機器に送信する第２送信手段と、
を備え、
前記第２電子機器は、
前記第２送信手段により前記サーバ装置から送信された前記設定データを受信する第２受信手段と、
前記第２受信手段により受信された前記設定データを、前記設定データ記憶手段に記憶させる記憶制御手段と、
を備えることを特徴とする。
【０００７】
請求項３に記載の発明は、第１電子機器及び第２電子機器とサーバ装置とがネットワークを介して接続されるネットワークシステムにおいて、
一の識別情報が割り当てられるとともに、ユーザによるキー操作を受け付けるキー入力部を備えるリモコン装置を複数備え、
前記第１電子機器及び前記第２電子機器は、
当該電子機器の設定に関する設定データを、前記リモコン装置に割り当てられた識別情報別に個別に記憶可能な設定データ記憶手段を備え、
前記第１電子機器は、
前記リモコン装置における前記キー入力部のキー操作に基づいて、当該第１電子機器の前記設定データ記憶手段に記憶された前記設定データと、当該リモコン装置に割り当てられた前記識別情報と、を対応付けて、前記ネットワークを介して前記サーバ装置に送信する第１送信手段を備え、
前記サーバ装置は、
前記第１送信手段により前記第１電子機器から送信された前記設定データと前記識別情報とを受信する第１受信手段と、
前記第１受信手段により受信された前記設定データと前記識別情報とを対応付けて保存する保存手段と、
を備え、
前記第２電子機器は、
前記リモコン装置における前記キー入力部のキー操作に基づいて、前記保存手段により保存された前記設定データの送信要求と、当該リモコン装置に割り当てられた前記識別情報と、を対応付けて前記ネットワークを介して前記サーバ装置に送信する設定データ要求手段を備え、
前記サーバ装置は、
前記設定データ要求手段により前記第２電子機器から送信された前記識別情報が前記保存手段に保存された識別情報に該当するか否かについて認証を行う認証手段と、
前記認証手段により認証された識別情報に対応する前記設定データを、前記保存手段から抽出して前記第２電子機器に送信する第２送信手段と、
を備え、
前記第２電子機器は、
前記第２送信手段により前記サーバ装置から送信された前記設定データを受信する第２受信手段と、
前記第２受信手段により受信された前記設定データを、前記設定データ記憶手段に記憶させる記憶制御手段と、
前記リモコン装置における前記キー入力部のキー操作に応じて、前記設定データ記憶手段に記憶された当該リモコン装置に割り当てられた前記識別情報に対応する前記設定データに基づいて、所定の制御を行う制御手段と、
を備えることを特徴とする。
【発明の効果】
【０００８】
請求項１に記載の発明によれば、リモコン装置は、一の識別情報が割り当てられるとともに、ユーザによるキー操作を受け付けるキー入力部を備え、第１電子機器及び第２電子機器において、設定データ記憶手段により、当該電子機器の設定に関する設定データが記憶され、第１電子機器において、第１送信手段により、リモコン装置におけるキー入力部のキー操作に基づいて、当該第１電子機器の設定データ記憶手段に記憶された設定データと、当該リモコン装置に割り当てられた識別情報と、が対応付けられて、ネットワークを介してサーバ装置に送信され、サーバ装置において、第１受信手段により、第１送信手段により第１電子機器から送信された設定データと識別情報とが受信され、保存手段により、第１受信手段により受信された設定データと識別情報とが対応付けられて保存される。また、第２電子機器において、電源オンオフ手段により、リモコン装置におけるキー入力部のキー操作に基づいて当該第２電子機器の電源がオンオフされ、設定データ要求手段により、電源オンオフ手段による電源のオンに応じて、保存手段により保存された設定データの送信要求と、当該リモコン装置に割り当てられた識別情報と、が対応付けられてネットワークを介してサーバ装置に送信され、サーバ装置において、認証手段により、設定データ要求手段により第２電子機器から送信された識別情報が保存手段に保存された識別情報に該当するか否かについて認証が行われ、第２送信手段により、認証手段により認証された識別情報に対応する設定データが、保存手段から抽出されて第２電子機器に送信される。さらに、第２電子機器において、第２送信手段によりサーバ装置から送信された設定データが受信され、記憶制御手段により、第２受信手段により受信された設定データが設定データ記憶手段に記憶されるとともに、電源オンオフ手段による電源のオフに応じて、設定データ記憶手段により記憶された設定データが消去される。
したがって、第２電子機器において、第１電子機器の設定データをサーバ装置に送信する際に使用したリモコン装置と同一の識別情報が割り当てられたリモコン装置を用いて、第１電子機器の設定データをネットワークを介してサーバ装置からダウンロードするだけで設定データが設定されることとなるため、設定操作を一から行う必要がなくなる。よって、複数の電子機器がネットワークに接続されたネットワークシステムにおいて、電子機器の設定操作における操作性を向上させることができる。
また、一の識別情報が割り当てられたリモコン装置により電源がオンされると、当該リモコン装置に対応する設定データが自動的に第２電子機器に設定されることとなるため、設定データを設定するための特別な操作を行う必要が無くなるとともに、対応するリモコン装置を使用するだけで希望の設定データを設定することができ、操作性を更に向上させることができる。さらに、一のリモコン装置により電源がオフされると、第２電子機器に設定された設定データが自動的に消去されることとなるので、当該設定データが第三者によって不正に使用・変更等されてしまうことを防ぐことができる。
【０００９】
請求項２に記載の発明によれば、リモコン装置は、一の識別情報が割り当てられるとともに、ユーザによるキー操作を受け付けるキー入力部を備え、第１電子機器及び第２電子機器において、設定データ記憶手段により、当該電子機器の設定に関する設定データが記憶され、第１電子機器において、第１送信手段により、リモコン装置におけるキー入力部のキー操作に基づいて、当該第１電子機器の設定データ記憶手段に記憶された設定データと、当該リモコン装置に割り当てられた識別情報と、が対応付けられて、ネットワークを介してサーバ装置に送信され、サーバ装置において、第１受信手段により、第１送信手段により第１電子機器から送信された設定データと識別情報とが受信され、保存手段により、第１受信手段により受信された設定データと識別情報とが対応付けられて保存される。また、第２電子機器において、設定データ要求手段により、リモコン装置におけるキー入力部のキー操作に基づいて、保存手段により保存された設定データの送信要求と、当該リモコン装置に割り当てられた識別情報と、が対応付けられてネットワークを介してサーバ装置に送信され、サーバ装置において、認証手段により、設定データ要求手段により第２電子機器から送信された識別情報が保存手段に保存された識別情報に該当するか否かについて認証が行われ、第２送信手段により、認証手段により認証された識別情報に対応する設定データが、保存手段から抽出されて第２電子機器に送信される。さらに、第２電子機器において、第２送信手段によりサーバ装置から送信された設定データが受信され、記憶制御手段により、第２受信手段により受信された設定データが、設定データ記憶手段に記憶される。
したがって、第２電子機器において、第１電子機器の設定データをサーバ装置に送信する際に使用したリモコン装置と同一の識別情報が割り当てられたリモコン装置を用いて第１電子機器の設定データをネットワークを介してサーバ装置からダウンロードするだけで設定データが設定されることとなるため、設定操作を一から行う必要がなくなる。よって、複数の電子機器がネットワークに接続されたネットワークシステムにおいて、電子機器の設定操作における操作性を向上させることができる。
【００１０】
請求項３に記載の発明によれば、複数のリモコン装置は、一の識別情報が割り当てられるとともに、ユーザによるキー操作を受け付けるキー入力部を備え、第１電子機器及び第２電子機器において、設定データ記憶手段により、当該電子機器の設定に関する設定データが、リモコン装置に割り当てられた識別情報別に個別に記憶可能とされ、第１電子機器において、第１送信手段により、リモコン装置におけるキー入力部のキー操作に基づいて、当該第１電子機器の設定データ記憶手段に記憶された設定データと、当該リモコン装置に割り当てられた識別情報と、が対応付けられて、ネットワークを介してサーバ装置に送信され、サーバ装置において、第１受信手段により、第１送信手段により第１電子機器から送信された設定データと識別情報とが受信され、保存手段により、第１受信手段により受信された設定データと識別情報とが対応付けられて保存される。また、第２電子機器において、設定データ要求手段により、リモコン装置におけるキー入力部のキー操作に基づいて、保存手段により保存された設定データの送信要求と、当該リモコン装置に割り当てられた識別情報と、が対応付けられてネットワークを介してサーバ装置に送信され、サーバ装置において、認証手段により、設定データ要求手段により第２電子機器から送信された識別情報が保存手段に保存された識別情報に該当するか否かについて認証が行われ、第２送信手段により、認証手段により認証された識別情報に対応する設定データが、保存手段から抽出されて第２電子機器に送信される。さらに、第２電子機器において、第２受信手段により、第２送信手段によりサーバ装置から送信された設定データが受信され、記憶制御手段により、第２受信手段により受信された設定データが、設定データ記憶手段に記憶され、制御手段により、リモコン装置におけるキー入力部のキー操作に応じて、設定データ記憶手段に記憶された当該リモコン装置に割り当てられた識別情報に対応する設定データに基づいて、所定の制御が行われる。
したがって、第２電子機器において、第１電子機器の設定データをサーバ装置に送信する際に使用したリモコン装置と同一の識別情報が割り当てられたリモコン装置を用いて第１電子機器の設定データをネットワークを介してサーバ装置からダウンロードするだけで設定データが設定されることとなるため、設定操作を一から行う必要がなくなる。よって、複数の電子機器がネットワークに接続されたネットワークシステムにおいて、電子機器の設定操作における操作性を向上させることができる。
また、電子機器はリモコン装置別の設定データに基づいて使用されるとともに、操作したリモコン装置に対応する設定データに基づく制御が自動的に行われることとなって、電子機器の操作性の向上を図ることができる。
さらに、対応するリモコン装置を使用した場合のみ、当該リモコン装置に対応付けられた設定データに基づく操作が可能となるため、セキュリティ性の向上を図ることができる。
【発明を実施するための最良の形態】
【００１１】
（実施形態１）
以下、図１〜７を参照しながら、本発明を適用した実施形態１のネットワークシステムについて詳細に説明する。なお、発明の範囲は図示例に限定されない。
【００１２】
＜ネットワークシステムの構成＞
まず、本実施形態１におけるネットワークシステム１００の構成について説明する。図１は、実施形態１のネットワークシステム１００の全体構成を例示する図である。
実施形態１のネットワークシステム１００は、例えば、図１に示すように、第１電子機器１及び第２電子機器２が、サーバ装置３と、それぞれネットワークＮを介して接続されている。第１電子機器１及び第２電子機器２は、それぞれが共通のリモコン装置４により操作することができる。ユーザは当該リモコン装置４により各種指示を第１電子機器１又は第２電子機器２に送信して、各電子機器の遠隔操作を行う。
ネットワークＮは、例えば、インターネット、ＬＡＮ（Local Area Network）、ＷＡＮ（Wide Area Network）などの通信ネットワークであり、電話回線網、ＩＳＤＮ（Integrated Services Digital Network）回線網、広域帯通信回線網、専用線、移動体通信網、通信衛星回線、ＣＡＴＶ（Community Antenna TeleVision）回線網、光通信回線、無線通信回線などの各種通信回線と、それらを接続するインターネットサービスプロバイダを含む。
【００１３】
本実施形態１のネットワークシステム１００では、例えば、ユーザが第２電子機器２において設定データを設定する場合に、第２電子機器２において一から設定データの設定を行うのではなく、以下の処理を行う。すなわち、まず、第１電子機器１において、リモコン装置４の操作により、予め設定された設定データをリモコン装置４の識別情報とともにサーバ装置３に送信し、サーバ装置３において受信した設定データをリモコン装置４の識別情報に対応付けて保存する。さらに、第２電子機器２において、第１電子機器１の設定データをサーバ装置３に送信する際に使用した識別情報が割り当てられたリモコン装置４の操作により、設定データの送信要求をサーバ装置３に対して送信し、サーバ装置３において、第２電子機器２から送信要求とともに送信されたリモコン装置４の識別情報に基づく認証を行う。ユーザが同一の識別情報が割り当てられたリモコン装置４を使用した場合には、認証が正常に行われたとして、サーバ装置３に保存された設定データが第２電子機器２に送信され、第２電子機器２において受信された設定データが記憶されることとなる。したがって、第２電子機器２において、第１電子機器１の設定データをサーバ装置３に送信する際に使用したリモコン装置４と同一の識別情報が割り当てられたリモコン装置４を用いて第１電子機器１の設定データをネットワークＮを介してサーバ装置３からダウンロードするだけで設定データが設定されるため、第２電子機器２において一から設定操作を行う必要がなくなり、電子機器の設定操作における操作性の向上が図られる。
また、本実施形態１では、一の識別情報が割り当てられたリモコン装置４により電源がオンされると、上述した処理が実行されて、当該リモコン装置４に対応する設定データが自動的に第２電子機器２に設定されるようになっている。そのため、設定データを設定するための特別な操作を行う必要が無くなるとともに、対応するリモコン装置４を使用するだけで希望の設定データを設定することができ、操作性を更に向上させることができる。  さらに、一の識別情報が割り当てられたリモコン装置４の操作により電源がオフされると、第２電子機器２に設定された設定データが自動的に消去されることとなるので、設定データが第三者によって不正に使用・変更等されてしまうことを防ぐことができる。
【００１４】
（リモコン装置の構成）
リモコン装置４は、例えば、図２に示すように、ユーザによるキー操作を受け付けるキー入力部４１、リモコン装置４における各種制御を行うＣＰＵ (Central Processing Unit) ４２、識別情報格納部４３、発振部４４、赤外線ＬＥＤ（Light Emitting Diode）４５等を備えて構成されており、押下操作されたキーに応じたリモートコントロール信号（以下、リモコン信号とする）を出力する。当該リモコン装置４は、第１電子機器１及び第２電子機器２の両方に対応している。
【００１５】
キー入力部４１は、例えば、第１電子機器１又は第２電子機器２の電源をオン／オフするための電源オン／オフキー４１ａと、第１電子機器１等の電子機器に設定された設定データをサーバ装置３に送信するための設定データ送信キー４１ｂと、を備えている。更に、図示は省略するものの、当該キー入力部４１には、各種メニュー画面を表示させるメニューキー、所望の項目を選択するカーソルキー、チャンネルを選択するチャンネルキー、音量を調節するボリュームアップ／ダウンキー等の各種キーが設けられている。
ユーザがキー入力部４１に備わるキーを、リモコン装置４を第１電子機器１又は第２電子機器２の方向に向けた状態で押下操作すると、ＣＰＵ４２の制御により、ユーザにより押下されたキーに対応するリモコン信号が生成されて発振部４４、赤外線ＬＥＤ４５等により出力されるようになっており、ユーザの押下操作に基づくリモコン信号が第１電子機器１又は第２電子機器２に出力されることとなる。
具体的には、例えば、ユーザがリモコン装置４を第１電子機器１に向けながらキー入力部４１の設定データ送信キー４１ｂを送信すると、第１電子機器１に設定された設定データをサーバ装置３に送信するよう指示するリモコン信号が生成され、第１電子機器１に出力される。また、例えば、ユーザがリモコン装置４を第２電子機器２に向けながらキー入力部４１の電源オン／オフキー４１ａを押下すると、電源オン／オフを指示するリモコン信号が生成され、第２電子機器２に出力されることとなる。
【００１６】
識別情報格納部４３は、例えば、ＥＥＰＲＯＭ(Electrically Erasable Programmable ROM)、フラッシュメモリ等の不揮発性メモリであり、当該リモコン装置４に割り当てられた一の識別情報（例えば、「００１」）が格納されている。この識別情報は、前述したキー入力部４１におけるキーの押下操作に基づいて生成されるリモコン信号の一部（例えば、カスタムコード等）に含まれることとなる。キー入力部４１における押下操作に基づいて生成されたリモコン信号に含まれる当該識別情報は、リモコン信号を受信した電子機器が自分に対する命令か否かを識別するために用いられるとともに、第１電子機器１における第１送信プログラム１６３ａ（後述）や、第２電子機器２における設定データ要求プログラム２６３ｂ（後述）の実行に際して、第１電子機器１又は第２電子機器２において受信したリモコン信号の中から抽出されて、サーバ装置３に送信される。
【００１７】
（第１電子機器の構成）
第１電子機器１は、例えば、テレビジョン受像機等であり、ネットワークＮを介してサーバ装置３と接続されている。図３は、第１電子機器１の要部構成を例示するブロック図である。
具体的には、第１電子機器１は、例えば、図３に示すように、テレビジョン放送信号に基づく各種の映像・音声処理等を行う信号処理部１１と、信号処理部１１から出力される映像信号及び音声信号に基づく映像・音声を出力させる出力部１２と、サーバ装置３とネットワークＮを介して情報の送受信を行うための通信部１３と、当該第１電子機器１の設定データを記憶する設定データ記憶手段としての設定データ格納部１４と、電力の供給を行う電源部１５と、制御部１６と、等を備えており、各部はバス１７により接続されている。
【００１８】
信号処理部１１は、図示しないアンテナや入力端子等から入力されたテレビジョン放送信号等の映像・音声信号に対して、所定の映像・音声処理を行い、後段の出力部１２に出力する。
【００１９】
出力部１２は、図示しない表示部及びスピーカ機器を備え、信号処理部１１から出力される映像信号に基づく映像を表示部に表示させるとともに、信号処理部１１から出力される音声信号に基づく音声をスピーカ機器から出力させる。
【００２０】
通信部１３は、インターネット等のネットワークＮを介して、ネットワークＮに接続されたサーバ装置３との間で情報の送受信を行う。
【００２１】
設定データ格納部１４は、例えば、ＥＥＰＲＯＭ(Electrically Erasable Programmable ROM)、フラッシュメモリ等の不揮発性メモリであり、ユーザにより設定された設定データを格納している。設定データは、例えば、設定画面等において入力されたユーザの氏名・住所・電話番号等の個人情報や、カスタマイズデータ、ユーザがインストールしたアプリケーションソフト等、ユーザにより設定された各種のユーザデータである。
【００２２】
電源部１５は、例えば、図示しない電源コードを介して商用交流電源から供給された交流電圧を、所定の電圧値の直流電圧ＶＣＣ，ＶＤＤに変換し、制御部１６に出力する。
【００２３】
制御部１６は、例えば、ＣＰＵ１６１、ＲＡＭ (Random Access Memory) １６２、ＲＯＭ (Read Only Memory) １６３等を備えて構成されている。
【００２４】
ＣＰＵ１６１は、ＲＯＭ１６３に記憶された処理プログラムに従って、各種の制御処理を実行する。
【００２５】
ＲＯＭ１６３は、第１電子機器１において実行可能なシステムプログラム、当該システムプログラムで実行可能な各種処理プログラム、これら各種処理プログラムを実行する際に使用されるデータ、ＣＰＵ１６１によって演算処理された処理結果のデータ等を記憶する。当該プログラムは、コンピュータが読取可能なプログラムコードの形で記憶されている。
具体的には、ＲＯＭ１６３は、例えば、第１送信プログラム１６３ａ等を備えている。
【００２６】
第１送信プログラム１６３ａは、例えば、ＣＰＵ１６１に、リモコン装置４におけるキー入力部４１のキー操作に基づいて、当該第１電子機器１の設定データ格納部１４に格納された設定データと、当該リモコン装置４に割り当てられた識別情報と、を対応付けて、ネットワークＮを介してサーバ装置３に送信する機能を実現させるためのプログラムである。
具体的には、ユーザにより、リモコン装置４のキー入力部４１において設定データ送信キー４１ｂの押下操作が行われ、第１電子機器１に設定された設定データをサーバ装置３に送信するよう指示するリモコン信号がＣＰＵ１６１に出力されると、ＣＰＵ１６１は、設定データ格納部１４に格納された設定データを読み出すとともに、リモコン装置４から送信されたリモコン信号に含まれる当該リモコン装置４の識別情報（例えば、「００１」等）を読み出し、当該読み出した設定データ及び識別情報を対応付けて、通信部１３によりネットワークＮを介してサーバ装置３に送信する。
ＣＰＵ１６１は、かかる第１送信プログラム１６３ａを実行することにより、第１送信手段として機能する。
【００２７】
（サーバ装置の構成）
サーバ装置３は、インターネット等のネットワークＮを介して第１電子機器１及び第２電子機器２と接続されている。図４は、サーバ装置３の要部構成を例示するブロック図である。
具体的には、サーバ装置３は、例えば、図４に示すように、通信部３１、設定データ保存部３２、制御部３３等を備えて構成され、各部はバス３４により接続されている。
【００２８】
通信部３１は、インターネット等のネットワークＮを介して、ネットワークＮに接続された第１電子機器１又は第２電子機器２との間で情報の送受信を行う。
【００２９】
設定データ保存部３２は、例えば、ＥＥＰＲＯＭ、フラッシュメモリ等の不揮発性メモリにより構成され、後述する第１受信プログラム３３３ａの実行により受信した第１電子機器１から送信された設定データ及び識別情報を対応付けて記憶する設定データ保存テーブル３２ａ（保存手段）を備えている。図５は、設定データ保存テーブル３２ａの一例を示す図である。
設定データ保存テーブル３２ａでは、例えば、図５に示すように、リモコン装置４の識別情報別に、設定データや、当該設定データの送信日時等が対応付けられて記憶されている。当該設定データ保存テーブル３２ａでは、リモコン装置４から設定データが送信される度に、古いデータが消去されて新しい設定データに更新されるようになっている。
【００３０】
制御部３３は、例えば、ＣＰＵ３３１、ＲＡＭ３３２、ＲＯＭ３３３等を備えて構成されている。
【００３１】
ＣＰＵ３３１は、ＲＯＭ３３３に記憶された処理プログラムに従って、各種の制御処理を実行する。
【００３２】
ＲＡＭ３３２は、ＣＰＵ３３１によって実行される処理プログラム等を展開するためのプログラム格納領域や、入力データや上記処理プログラムが実行される際に生じる処理結果等を格納するデータ格納領域等を備える。
【００３３】
ＲＯＭ３３３は、サーバ装置３において実行可能なシステムプログラム、当該システムプログラムで実行可能な各種処理プログラム、これら各種処理プログラムを実行する際に使用されるデータ、ＣＰＵ３３１によって演算処理された処理結果のデータ等を記憶する。当該プログラムは、コンピュータが読取可能なプログラムコードの形で記憶されている。
具体的には、ＲＯＭ３３３は、例えば、第１受信プログラム３３３ａ、保存プログラム３３３ｂ、認証プログラム３３３ｃ、第２送信プログラム３３３ｄ等を備えている。
【００３４】
第１受信プログラム３３３ａは、例えば、ＣＰＵ３３１に、第１電子機器１における第１送信プログラム１６３ａの実行により第１電子機器１から送信された設定データと識別情報とを受信する機能を実現する機能を実現させるためのプログラムである。
具体的には、ＣＰＵ３３１は、第１電子機器１の設定データ格納部１４に格納された設定データと、当該設定データを送信するためのキー操作が行われたリモコン装置４の識別情報と、がインターネット等のネットワークＮを介して第１電子機器１から送信されると、当該設定データ及び識別情報を通信部３１により受信する。
ＣＰＵ３３１は、かかる第１受信プログラム３３３ａを実行することにより、第１受信手段として機能する。
【００３５】
保存プログラム３３３ｂは、例えば、ＣＰＵ３３１に、第１受信プログラム３３３ａの実行により受信された設定データと識別情報とを対応付けて保存する機能を実現させるためのプログラムである。
具体的には、第１受信プログラム３３３ａの実行により、第１電子機器１から送信された設定データ及び識別情報（例えば、「００１」等）を通信部３１により受信すると、当該設定データと識別情報とを対応付けて、設定データ保存テーブル３２ａに保存する。
ＣＰＵ３３１は、かかる保存プログラム３３３ｂを実行することにより、保存手段として機能する。
【００３６】
認証プログラム３３３ｃは、例えば、ＣＰＵ３３１に、第２電子機器２における設定データ要求プログラム２６３ｂ（後述）の実行において、第２電子機器２から送信された識別情報が設定データ保存テーブル３２ａに格納された識別情報に該当するか否かについて認証を行う機能を実現させるためのプログラムである。
具体的には、ＣＰＵ３３１は、第２電子機器２から送信された、リモコン装置４に対応する設定データを送信するよう要求する送信要求と、当該リモコン装置４に割り当てられた識別情報と、を通信部３１により受信すると、受信した識別情報（例えば、「００１」等）が、設定データ保存テーブル３２ａに格納されているかを判断する認証処理を実行する。この認証処理において、第２電子機器２から送信された識別情報が、設定データ保存テーブル３２ａに記憶された識別情報に該当する場合には、認証が正常に行われたものと判断され、一方、第２電子機器２から送信された識別情報が、設定データ保存テーブル３２ａに記憶された識別情報に該当しない場合には、認証が正常に行われなかったものと判断される。
ＣＰＵ３３１は、かかる認証プログラム３３３ｃを実行することにより、認証手段として機能する。
【００３７】
第２送信プログラム３３３ｄは、例えば、ＣＰＵ３３１に、認証プログラム３３３ｃの実行により認証された識別情報に対応する設定データを、設定データ保存テーブル３２ａから抽出して第２電子機器２に送信する機能を実現させるためのプログラムである。
具体的には、前述の認証プログラム３３３ｃの実行において、第２電子機器２から送信された識別情報が設定データ保存テーブル３２ａに存在して、認証が正常に行われた場合に、当該識別情報に対応付けられて保存された設定データを、設定データ保存テーブル３２ａの中から抽出し、当該設定データの送信要求を行った第２電子機器２に対して、通信部３１によりインターネット等のネットワークＮを介して送信する。
ＣＰＵ３３１は、かかる第２送信プログラム３３３ｄを実行することにより、第２送信手段として機能する。
【００３８】
（第２電子機器の構成）
第２電子機器２は、例えば、テレビジョン受像機等であり、インターネット等のネットワークＮを介してサーバ装置３と接続されている。図６は、第２電子機器２の要部構成を例示するブロック図である。
具体的には、第２電子機器２は、例えば、図６に示すように、テレビジョン放送信号に基づく各種の映像・音声処理等を行う信号処理部２１と、信号処理部２１から出力される映像信号及び音声信号に基づく映像・音声を出力させる出力部２２と、サーバ装置３とネットワークＮを介して情報の送受信を行うための通信部２３と、当該第２電子機器２の設定データを記憶する設定データ格納部２４と、電力の供給を行う電源部２５と、制御部２６と、等を備えており、各部はバス２７により接続されている。
【００３９】
信号処理部２１は、図示しないアンテナや入力端子等から入力されたテレビジョン放送信号等の映像・音声信号に対して、所定の映像・音声処理を行い、後段の出力部２２に出力する。
【００４０】
出力部２２は、図示しない表示部及びスピーカ機器を備え、信号処理部２１から出力される映像信号に基づく映像を表示部に表示させるとともに、信号処理部２１から出力される音声信号に基づく音声をスピーカ機器から出力させる。
【００４１】
通信部２３は、インターネット等のネットワークＮを介して、ネットワークＮに接続されたサーバ装置３との間で情報の送受信を行う。
【００４２】
設定データ格納部２４は、例えば、第１電子機器１における設定データ格納部２４と同様に構成され、ＥＥＰＲＯＭ、フラッシュメモリ等の不揮発性メモリであり、設定データを格納する。具体的には、当該設定データ格納部２４は、後述する記憶制御プログラム２６３ｄの実行により、サーバ装置３から送信された設定データを格納するための領域である。
【００４３】
電源部２５は、例えば、図示しない電源コードを介して商用交流電源から供給された交流電圧を、所定の電圧値の直流電圧ＶＣＣ，ＶＤＤに変換し、制御部２６に出力する。
【００４４】
制御部２６は、例えば、ＣＰＵ２６１、ＲＡＭ２６２、ＲＯＭ２６３等を備えて構成されている。
【００４５】
ＣＰＵ２６１は、ＲＯＭ２６３に記憶された処理プログラムに従って、各種の制御処理を実行する。
【００４６】
ＲＡＭ２６２は、ＣＰＵ２６１によって実行される処理プログラム等を展開するためのプログラム格納領域や、入力データや上記処理プログラムが実行される際に生じる処理結果等を格納するデータ格納領域等を備える。
【００４７】
ＲＯＭ２６３は、第２電子機器２において実行可能なシステムプログラム、当該システムプログラムで実行可能な各種処理プログラム、これら各種処理プログラムを実行する際に使用されるデータ、ＣＰＵ２６１によって演算処理された処理結果のデータ等を記憶する。当該プログラムは、コンピュータが読取可能なプログラムコードの形で記憶されている。
具体的には、ＲＯＭ２６３は、例えば、電源オンオフプログラム２６３ａ、設定データ要求プログラム２６３ｂ、第２受信プログラム２６３ｃ、記憶制御プログラム２６３ｄ等を備えている。
【００４８】
電源オンオフプログラム２６３ａは、例えば、ＣＰＵ２６１に、リモコン装置４におけるキー入力部４１のキー操作に基づいて当該第２電子機器２の電源をオンオフする機能を実現させるためのプログラムである。
具体的には、ユーザにより、リモコン装置４のキー入力部４１において電源オン／オフキー４１ａの押下操作が行われ、電源のオン／オフを指示するリモコン信号がＣＰＵ２６１に出力されると、ＣＰＵ２６１は、電源オン又は電源オフを命ずる制御信号を電源部２５に対して出力する。電源部２５では、ＣＰＵ２６１から電源オンを命ずる制御信号を受信すると、商用交流電源からの電源供給を有効化して第２電子機器２各部への電源供給を行う電源オン状態に移行するとともに、電源オフを命ずる制御信号を受信すると、商用交流電源からの電源供給を無効化して第２電子機器２各部への電源供給を断つ電源オフ状態に移行する。
ＣＰＵ２６１は、かかる電源オンオフプログラムを実行することにより、電源オンオフ手段として機能する。
【００４９】
設定データ要求プログラム２６３ｂは、例えば、ＣＰＵ２６１に、電源オンオフプログラム２６３ａの実行による電源のオンに応じて、サーバ装置３の設定データ保存テーブル３２ａに保存された設定データの送信要求と、リモコン装置４に割り当てられた識別情報と、を対応付けてインターネット等のネットワークＮを介してサーバ装置３に送信する機能を実現させるためのプログラムである。
具体的には、第２電子機器２の電源がオフされた状態で、ユーザにより、リモコン装置４のキー入力部４１において電源オン／オフキー４１ａの押下操作が行われ、電源のオンを指示するリモコン信号がＣＰＵ２６１に出力されると、ＣＰＵ２６１は、電源オンオフプログラム２６３ａの実行による電源オン状態への移行の後に、リモコン装置４から送信されたリモコン信号に含まれる当該リモコン装置４の識別情報を読み出し、サーバ装置３の設定データ保存テーブル３２ａに保存された設定データのうちの当該リモコン装置４に対応する設定データを送信するよう要求する送信要求と、リモコン装置４から送信されたリモコン信号から読み出した識別情報と、を対応付けて通信部２３によりインターネット等のネットワークＮを介してサーバ装置３に送信する。
ＣＰＵ２６１は、かかる設定データ要求プログラム２６３ｂを実行することにより、電源オンオフ手段として機能する。
【００５０】
第２受信プログラム２６３ｃは、例えば、ＣＰＵ２６１に、サーバ装置３の第２送信プログラム３３３ｄの実行によりサーバ装置３から送信された設定データを受信する機能を実現させるためのプログラムである。
具体的には、設定データ要求プログラム２６３ｂの実行による設定データの送信要求に応じて、サーバ装置３の第２送信プログラム３３３ｄの実行により、第２電子機器２から設定データ保存テーブル３２ａから抽出されたリモコン装置４の識別情報に対応付けられた設定データが、インターネット等のネットワークＮを介して送信されると、ＣＰＵ２６１は、通信部２３により当該設定データを受信する。
ＣＰＵ２６１は、かかる第２受信プログラム２６３ｃを実行することにより第２受信手段として機能する。
【００５１】
記憶制御プログラム２６３ｄは、例えば、ＣＰＵ２６１に、第２受信プログラム２６３ｃの実行により受信された設定データを、設定データ保存テーブル３２ａに記憶させるとともに、電源オンオフプログラム２６３ａの実行による電源オフに応じて、設定データ保存テーブル３２ａにより記憶された設定データを消去する機能を実現させるためのプログラムである。
具体的には、ＣＰＵ２６１は、前述の第２受信プログラム２６３ｃの実行により、第２電子機器２から送信された設定データを通信部２３により受信すると、当該設定データを、設定データ格納部２４に格納する。
また、第２電子機器２の電源がオンされた状態で、ユーザにより、リモコン装置４のキー入力部４１において電源オン／オフキー４１ａの押下操作が行われ、電源のオフを指示するリモコン信号がＣＰＵ２６１に出力されると、ＣＰＵ２６１は、設定データ保存テーブル３２ａに記憶された設定データを消去し、その後、電源オンオフプログラム２６３ａの実行により電源オフ状態に移行する。
ＣＰＵ２６１は、かかる記憶制御プログラム２６３ｄを実行することにより、記憶制御手段として機能する。
【００５２】
次に、図７のフローチャートを参照しながら、第１電子機器１及びサーバ装置３の間で実行される設定データ送信処理について説明する。
本設定データ送信処理は、第１電子機器１において、ＣＰＵ１６１により第１送信プログラム１６３ａが実行され、サーバ装置３において、ＣＰＵ３３１により第１の受信プログラム３３３ａ、保存プログラム３３３ｂが実行されることにより行われる。
【００５３】
まず、ステップＳ１において、ユーザにより、リモコン装置４が第１電子機器１に向けられた状態で、キー入力部４１に備わる設定データ送信キー４１ｂの押下操作が行われて、設定データ送信キー４１ｂに対応するリモコン信号が第１電子機器１に対して送信されると、ステップＳ２において、第１電子機器１のＣＰＵ１６１は、設定データ格納部１４に格納された設定データと、リモコン装置４のリモコン信号から読み出した当該リモコン装置４に割り当てられた識別情報と、を対応付けて通信部１３によりネットワークＮを介してサーバ装置３に送信し、本処理を終了する。
ステップＳ３において、サーバ装置３のＣＰＵ３３１は、第１電子機器１からネットワークＮを介して送信された設定データと、リモコン装置４の識別情報と、を通信部３１により受信すると、ステップＳ４において、受信した設定データを、リモコン装置４の識別情報と、を対応付けて設定データ保存テーブル３２ａに保存し、本処理を終了する。
【００５４】
次に図８のフローチャートを参照しながら、第２電子機器２及びサーバ装置３の間で実行される設定データ受信処理について説明する。
本設定データ受信処理は、前述した設定データ送信処理により、リモコン装置４におけるキー操作により、第１電子機器１から送信された設定データがリモコン装置４の識別情報と対応付けられて格納された第２電子機器２において、ＣＰＵ２６１により、設定データ要求プログラム２６３ｂ、第２受信プログラム２６３ｃ、記憶制御プログラム２６３ｄが実行され、また、サーバ装置３において、ＣＰＵ３３１により認証プログラム３３３ｃ、第２送信プログラム３３３ｄが実行されることにより行われる。
【００５５】
まず、ステップＳ１１において、ユーザにより、電源オフ状態の第２電子機器２にリモコン装置４が向けられた状態で、キー入力部４１に備わる電源オン／オフキー４１ａの押下操作が行われて、電源オン／オフキー４１ａに対応するリモコン信号が第２電子機器２に対して送信されると、第２電子機器２のＣＰＵ２６１は、ステップＳ１２において電源オン状態に移行する処理を行った後に、ステップＳ１３において、サーバ装置３に格納された設定データを送信するよう要求する送信要求と、リモコン装置４のリモコン信号から読み出した当該リモコン装置４に割り当てられた識別情報と、を対応付けて通信部２３によりネットワークＮを介してサーバ装置３に送信する。
ステップＳ１４において、サーバ装置３のＣＰＵ３３１は、第２電子機器２からネットワークＮを介して送信された設定データの送信要求と、リモコン装置４の識別情報と、を通信部３１により受信すると、ステップＳ１５において、受信した識別情報が、設定データ保存テーブル３２ａに格納された識別情報に該当するか否かを判断する認証処理を行う。ステップＳ１５において、サーバ装置３のＣＰＵ３３１は、第２電子機器２から送信された識別情報が設定データ保存テーブル３２ａに格納された識別情報に該当しないと判断した場合には（ステップＳ１５；Ｎｏ）、ステップＳ１４に戻って以上の処理を繰り返し、一方、第２電子機器２から送信された識別情報が設定データ保存テーブル３２ａに格納された識別情報に該当すると判断した場合には（ステップＳ１５；Ｙｅｓ）、認証が正常に行われたとして、ステップＳ１６において、第２電子機器２から送信された識別情報に対応付けて保存された設定データを、設定データ保存テーブル３２ａから抽出し、抽出した設定データを、通信部３１によりネットワークＮを介して第２電子機器２に送信して、本処理を終了する。
ステップＳ１７において、第２電子機器２のＣＰＵ２６１は、サーバ装置３からネットワークＮを介して送信された設定データを、通信部２３により受信すると、ステップＳ１８において、当該受信した設定データを設定データ格納部２４に記憶する。
【００５６】
さらに、ステップＳ１９において、ユーザにより、リモコン装置４が第２電子機器２に向けられた状態で、キー入力部４１に備わる電源オン／オフキー４１ａの押下操作が行われて、電源オン／オフキー４１ａに対応するリモコン信号が第２電子機器２に対して送信されると、第２電子機器２のＣＰＵ２６１は、ステップＳ２０において、設定データ格納部２４に格納された設定データを消去した後に、ステップＳ２１において、電源オフ状態に移行し、本処理を終了する。
【００５７】
以上説明した本発明を適用した実施形態１におけるネットワークシステム１００によれば、リモコン装置４は、一の識別情報が割り当てられるとともに、ユーザによるキー操作を受け付けるキー入力部４１を備え、第１電子機器１及び第２電子機器２において、設定データ格納部１４、２４により、当該電子機器の設定に関する設定データが記憶され、第１電子機器１において、ＣＰＵ１６１による第１送信プログラム１６３ａの実行により、リモコン装置４におけるキー入力部４１のキー操作に基づいて、当該第１電子機器１の設定データ格納部１４に記憶された設定データと、当該リモコン装置４に割り当てられた識別情報と、が対応付けられて、ネットワークＮを介してサーバ装置３に送信され、サーバ装置３において、ＣＰＵ３３１による第１受信プログラム３３３ａの実行により、第１送信プログラム１６３ａの実行により第１電子機器１から送信された設定データと識別情報とが受信され、保存プログラム３３３ｂの実行により、第１受信プログラム３３３ａの実行により受信された設定データと識別情報とが対応付けられて設定データ保存テーブル３２ａに保存される。また、第２電子機器２において、ＣＰＵ２６１による電源オンオフプログラム２６３ａの実行により、リモコン装置４におけるキー入力部４１のキー操作に基づいて当該第２電子機器２の電源がオンオフされ、設定データ要求プログラム２６３ｂの実行により、電源オンオフプログラム２６３ａの実行による電源のオンに応じて、保存プログラム３３３ｂの実行により保存された設定データの送信要求と、当該リモコン装置４に割り当てられた識別情報と、が対応付けられてネットワークＮを介してサーバ装置３に送信され、サーバ装置３において、ＣＰＵ３３１による認証プログラム３３３ｃの実行により、設定データ要求プログラム２６３ｂの実行により第２電子機器２から送信された識別情報が設定データ保存テーブル３２ａに保存された識別情報に該当するか否かについて認証が行われ、第２送信プログラム３３３ｄの実行により、認証プログラム３３３ｃの実行により認証された識別情報に対応する設定データが、設定データ保存テーブル３２ａから抽出されて第２電子機器２に送信される。さらに、第２電子機器２において、ＣＰＵ２６１による第２送信プログラム３３３ｄの実行によりサーバ装置３から送信された設定データが受信され、記憶制御プログラム２６３ｄの実行により、第２受信プログラム２６３ｃの実行により受信された設定データが設定データ格納部２４に記憶されるとともに、電源オンオフプログラム２６３ａによる電源のオフに応じて、設定データ格納部２４により記憶された設定データが消去される。
したがって、第２電子機器２において、第１電子機器１の設定データをサーバ装置３に送信する際に使用したリモコン装置４と同一の識別情報が割り当てられたリモコン装置４を用いて第１電子機器１の設定データをネットワークＮを介してサーバ装置３からダウンロードするだけで設定データが設定されることとなるため、設定操作を一から行う必要がなくなる。よって、複数の電子機器がネットワークＮに接続されたネットワークシステム１００において、電子機器の設定操作における操作性を向上させることができる。
また、一の識別情報が割り当てられたリモコン装置４により電源がオンされると、当該リモコン装置４に対応する設定データが自動的に第２電子機器２に設定されることとなるため、設定データを設定するための特別な操作を行う必要が無くなるとともに、対応するリモコン装置４を使用するだけで希望の設定データを設定することができ、操作性を更に向上させることができる。さらに、一のリモコン装置４により電源がオフされると、第２電子機器２に設定された設定データが自動的に消去されることとなるので、当該設定データが第三者によって不正に使用・変更等されてしまうことを防ぐことができる。
【００５８】
（実施形態２）
次に、図９〜１１を参照しながら、本発明を適用した実施形態２のネットワークシステムについて詳細に説明する。なお、発明の範囲は図示例に限定されない。また、実施形態１と同一部分には、同じ符号を付して説明を省略する。
【００５９】
＜ネットワークシステムの構成＞
まず、本実施形態２におけるネットワークシステム２００の構成について説明する。図９は、実施形態２のネットワークシステム２００の全体構成を例示する図である。
実施形態２のネットワークシステム２００は、例えば、図９に示すように、第１電子機器１及び第２電子機器６が、サーバ装置３と、それぞれネットワークＮを介して接続されている。第１電子機器１及び第２電子機器６は、当該ネットワークシステム２００に複数備わる共通のリモコン装置４、５により操作することができる。ユーザは複数のリモコン装置４、５の何れかにより各種指示を第１電子機器１又は第２電子機器６に送信して、それぞれの電子機器の遠隔操作を行う。
【００６０】
本実施形態２のネットワークシステム２００では、例えば、実施形態１のネットワークシステム１００と同様に、第２電子機器６において、第１電子機器１の設定データをサーバ装置３に送信する際に使用したリモコン装置４、５と同一の識別情報が割り当てられたリモコン装置４、５を用いてネットワークＮを介してサーバ装置３からダウンロードするだけで、使用したリモコン装置４、５に対応付けられた第１電子機器１の設定データが設定されることとなって、設定操作を一から行う必要がなくなる。よって、複数の電子機器がネットワークＮに接続されたネットワークシステム２００において、電子機器の設定操作における操作性を向上させることができる。
さらに、実施形態２のネットワークシステム２００では、特に、複数のリモコン装置４、５が備わり、一台の電子機器に、複数のリモコン装置４、５に対応する設定データをそれぞれ個別に設定できるように構成した。これにより、リモコン装置４、５別の設定データに基づいて電子機器を使用できることとなり、電子機器の操作性の向上を図ることができる。また、操作したリモコン装置４、５に対応する設定データに基づく制御が、自動的に行われることとなって、電子機器の操作性の向上を更に図ることができる。さらに、対応するリモコン装置４、５を使用した場合のみ当該リモコン装置４、５に対応付けられた設定データに基づく操作が可能となるため、セキュリティ性の向上を図ることができる。
【００６１】
（リモコン装置の構成）
本実施形態２のネットワークシステム２００では、例えば、２つのリモコン装置４、５が備わっている。これらのリモコン装置４、５は、それぞれが、第１電子機器１及び第２電子機器６の両方に対応している。
これらのリモコン装置４、５に備わるキー入力部４１は、例えば、第１電子機器１又は第２電子機器６に設定された設定データを、サーバ装置３に送信するための設定データ送信キー４１ｂと、サーバ装置３に格納されたリモコン装置４、５の識別情報に対応する設定データの送信要求を、サーバ装置３に対して送信するための設定データ受信キー４１ｃと、を備えている。また、リモコン装置８には、一の識別情報（例えば、「００１」）が割り当てられ、リモコン装置９には、一の識別情報（例えば、「００２」）が割り当てられている。
【００６２】
（第２電子機器の構成）
第２電子機器６は、例えば、テレビジョン受像機等であり、インターネット等のネットワークＮを介してサーバ装置３と接続されている。図１０は、第２電子機器６の要部構成を例示するブロック図である。
具体的には、第２電子機器６は、例えば、図１０に示すように、テレビジョン放送信号に基づく各種の映像・音声処理等を行う信号処理部２１と、信号処理部２１から出力される映像信号及び音声信号に基づく映像・音声を出力させる出力部２２と、サーバ装置３とネットワークＮを介して情報の送受信を行うための通信部２３と、当該第２電子機器６の設定データを記憶する設定データ格納部２４と、電力の供給を行う電源部２５と、制御部６２と、等を備えており、各部はバス２７により接続されている。
【００６３】
制御部６２は、例えば、ＣＰＵ６２１、ＲＡＭ２６２、ＲＯＭ６２２等を備えて構成されている。
【００６４】
ＣＰＵ６２１は、ＲＯＭ６２２に記憶された処理プログラムに従って、各種の制御処理を実行する。
【００６５】
ＲＯＭ６２２は、第２電子機器６において実行可能なシステムプログラム、当該システムプログラムで実行可能な各種処理プログラム、これら各種処理プログラムを実行する際に使用されるデータ、ＣＰＵ６２１によって演算処理された処理結果のデータ等を記憶する。当該プログラムは、コンピュータが読取可能なプログラムコードの形で記憶されている。
具体的には、ＲＯＭ６２２は、例えば、設定データ要求プログラム６２２ａ、第２受信プログラム２６３ｃ、記憶制御プログラム２６３ｄ、動作制御プログラム６２２ｂ等を備えている。
【００６６】
設定データ要求プログラム６２２ａは、例えば、ＣＰＵ６２１に、リモコン装置４、５のキー入力部４１におけるキー操作に応じて、サーバ装置３の設定データ保存テーブル３２ａに保存された設定データの送信要求と、リモコン装置４、５に割り当てられた識別情報と、を対応付けてインターネット等のネットワークＮを介してサーバ装置３に送信する機能を実現させるためのプログラムである。
具体的には、例えば、ユーザにより、リモコン装置４、５のキー入力部４１において設定データ受信キー４１ｃの押下操作が行われ、当該リモコン装置４、５に対応する設定データの受信を指示するリモコン信号がＣＰＵ６２１に出力されると、ＣＰＵ６２１は、リモコン装置４、５から送信されたリモコン信号に含まれる当該リモコン装置４、５の識別情報を読み出し、サーバ装置３の設定データ保存テーブル３２ａに保存された設定データの中から当該リモコン装置４、５に対応する設定データを送信するよう要求する送信要求と、リモコン装置４、５から送信されたリモコン信号から読み出した識別情報と、を対応付けて通信部２３によりインターネット等のネットワークＮを介してサーバ装置３に送信する。
ＣＰＵ６２１は、かかる設定データ要求プログラム６２２ａを実行することにより、設定データ要求手段として機能する。
【００６７】
動作制御プログラム６２２ｂは、例えば、ＣＰＵ６２１に、リモコン装置４、５におけるキー入力部４１のキー操作に応じて、設定データ格納部２４に記憶された当該リモコン装置４、５に割り当てられた識別情報に対応する設定データに基づいて、所定の制御を行う機能を実現させるためのプログラムである。
具体的には、ＣＰＵ６２１は、リモコン装置４、５のキー入力部４１においてキーの押下操作が行われ、当該押下されたキーに対応するリモコン信号がＣＰＵ６２１に出力されると、ＣＰＵ６２１は、当該リモコン信号に含まれるリモコン装置４、５の識別情報を抽出して、設定データ格納部２４に格納された当該リモコン装置４、５の識別情報に対応する設定データを参照し、押下されたキーに対応する制御を行う。例えば、リモコン装置４、５が操作されてリモコン信号が送信されると、ＣＰＵ６２１は、当該リモコン信号に含まれる識別情報（例えば、「００１」「００２」等）を抽出し、当該識別情報に対応付けられて記憶された設定データを、設定データ格納部２４から読み出して各種の制御を行う。
ＣＰＵ６２１は、かかる動作制御プログラム６２２ｂを実行することにより、制御手段として機能する。
【００６８】
次に、図１１のフローチャートを参照しながら、第２電子機器６のＣＰＵ６２１により実行される動作制御処理について説明する。
本動作制御処理は、第２電子機器６において、ＣＰＵ６２１により、動作制御プログラム６２２ｂが実行されることにより行われる。
なお、本動作制御処理は、図示は省略するものの、第１電子機器１において、ＣＰＵ１６１により第１送信プログラム１６１ａが実行され、サーバ装置３において、ＣＰＵ３３１により第１の受信プログラム３３３ａ、保存プログラム３３３ｂ、認証プログラム３３３ｃ、第２送信プログラム３３３ｄが実行され、さらに、第２電子機器６において、ＣＰＵ６２１により設定データ要求プログラム６２２ａ、第２受信プログラム２６３ｃ、記憶制御プログラム２６３ｄ、が実行されることにより、第２電子機器６の設定データ格納部２４に、複数の設定データが、複数のリモコン装置４、５の識別情報に対応付けられて記憶されていることを前提として実行される処理である。
【００６９】
まず、ステップＳ３１において、ユーザにより、リモコン装置４、５のキー入力部４１において、キーの押下操作が行われて、押下されたキーに対応するリモコン信号が第２電子機器６に出力されると、第２電子機器６のＣＰＵ６２１は、ステップＳ３２において、受信したリモコン信号から当該リモコン信号を送信したリモコン装置４、５の識別情報を抽出する。そして、ステップＳ３３において、設定データ格納部２４から、当該抽出された識別情報に対応付けされて記憶されている設定データを読み出して、当該設定データに基づいて押下されたキーに対応する処理を実行し、本処理を終了する。
【００７０】
以上説明した本発明を適用した実施形態２におけるネットワークシステム２００によれば、複数のリモコン装置４、５は、それぞれ一の識別情報が割り当てられるとともに、ユーザによるキー操作を受け付けるキー入力部４１をそれぞれ備え、第１電子機器１及び第２電子機器６において、設定データ格納部１４、２４により、当該電子機器の設定に関する設定データが、リモコン装置４、５に割り当てられた識別情報別に個別に記憶可能とされ、第１電子機器１において、ＣＰＵ１６１による第１送信プログラム１６３ａの実行により、リモコン装置４、５におけるキー入力部４１のキー操作に基づいて、当該第１電子機器１の設定データ格納部１４に記憶された設定データと、当該リモコン装置４、５に割り当てられた識別情報と、が対応付けられて、ネットワークＮを介してサーバ装置３に送信され、サーバ装置３において、ＣＰＵ３３１による第１受信プログラム３３３ａの実行により、第１送信プログラム１６３ａの実行により第１電子機器１から送信された設定データと識別情報とが受信され、保存プログラム３３３ｂの実行により、第１受信プログラム３３３ａの実行により受信された設定データと識別情報とが対応付けられて設定データ保存テーブル３２ａに保存される。また、第２電子機器６において、ＣＰＵ６２１による設定データ要求プログラム６２２ａの実行により、リモコン装置４、５におけるキー入力部４１のキー操作に基づいて、保存プログラム３３３ｂの実行により保存された設定データの送信要求と、当該リモコン装置４、５に割り当てられた識別情報と、が対応付けられてネットワークＮを介してサーバ装置３に送信され、サーバ装置３において、ＣＰＵ３３１による認証プログラム３３３ｃの実行により、設定データ要求プログラム６２２ａの実行により第２電子機器６から送信された識別情報が設定データ保存テーブル３２ａに保存された識別情報に該当するか否かについて認証が行われ、第２送信プログラム３３３ｄの実行により、認証プログラム３３３ｃの実行により認証された識別情報に対応する設定データが、設定データ保存テーブル３２ａから抽出されて第２電子機器６に送信される。さらに、第２電子機器６において、ＣＰＵ６２１による第２受信プログラム２６３ｃの実行により、第２送信プログラム３３３ｄの実行によりサーバ装置３から送信された設定データが受信され、記憶制御プログラム２６３ｄの実行により、第２受信プログラム２６３ｃの実行により受信された設定データが、設定データ格納部２４に記憶され、動作制御プログラム６２２ｂの実行により、リモコン装置４、５におけるキー入力部４１のキー操作に応じて、設定データ格納部１４、２４に記憶された当該リモコン装置４、５に割り当てられた識別情報に対応する設定データに基づいて、所定の制御が行われる。
したがって、第２電子機器６において、第１電子機器１の設定データをサーバ装置３に送信する際に使用したリモコン装置４、５と同一の識別情報が割り当てられたリモコン装置４、５を用いて第１電子機器１の設定データをネットワークＮを介してサーバ装置３からダウンロードするだけで設定データが設定されることとなるため、設定操作を一から行う必要がなくなる。よって、複数の電子機器がネットワークＮに接続されたネットワークシステム２００において、電子機器の設定操作における操作性を向上させることができる。
また、電子機器はリモコン装置４、５別の設定データに基づいて使用されるとともに、操作したリモコン装置４、５に対応する設定データに基づく制御が自動的に行われることとなって、電子機器の操作性の向上を図ることができる。
さらに、対応するリモコン装置４、５を使用した場合のみ、使用したリモコン装置４、５に対応付けられた設定データに基づく操作が可能となるため、セキュリティ性の向上を図ることができる。
【００７１】
なお、本発明は、発明の趣旨を逸脱しない範囲において種々の改良並びに設計の変更を行っても良い。
例えば、電子機器の数及び種類は、上記実施の形態において示したものに限られない。
また、例えば、ネットワークＮは、家庭内等において実現されるIEEE(Institute of Electrical and Electronic Engineers)802.11規格等に応じた無線ＬＡＮ(Local Area Network)等の無線ネットワークであっても良い。
また、実施形態２のネットワークシステム２００には、２つのリモコン装置４、５が備わるものとして説明を行ったが、リモコン装置の数は限定されず、少なくとも２つのリモコン装置であれば良い。
また、例えば、実施形態１及び実施形態２では、リモコン装置４、５の設定データ送信キー４１ｂを押下した場合に、第１電子機器１の設定データがサーバ装置３に送信されることとしたが、設定データをサーバ装置３に送信するタイミング及び方法はこれに限られず、任意に設定可能である。また同様に、実施形態２では、リモコン装置４、５の設定データ受信キー４１ｃを押下操作した場合に、設定データの送信要求がサーバ装置３に送信されることとしたが、設定データの送信要求をサーバ装置３に対して送信するタイミング及び方法はこれに限られず、例えば、メニュー画面に表示される複数の設定データの中から、使用するリモコン装置に対応する設定データを選択する構成であっても良い。
【図面の簡単な説明】
【００７２】
【図１】実施形態１のネットワークシステムの全体構成を例示する図である。
【図２】リモコン装置の要部構成を例示するブロック図である。
【図３】第１電子機器の要部構成を例示するブロック図である。
【図４】サーバ装置の要部構成を例示するブロック図である。
【図５】設定データ保存テーブルの一例を示す図である。
【図６】実施形態１のネットワークシステムに備わる第２電子機器の要部構成を例示するブロック図である。
【図７】実施形態１のネットワークシステムにおける設定データ送信処理を例示するフローチャートである。
【図８】実施形態１のネットワークシステムにおける設定データ受信処理を例示するフローチャートである。
【図９】実施形態２のネットワークシステムの全体構成を例示する図である。
【図１０】実施形態２のネットワークシステムに備わる第２電子機器の要部構成を例示するブロック図である。
【図１１】実施形態２のネットワークシステムにおける動作制御処理を例示するフローチャートである。
【符号の説明】
【００７３】
１００，２００      ネットワークシステム
１                  第１電子機器
２，６              第２電子機器
３                  サーバ装置
３２ａ              設定データ保存テーブル（保存手段）
４，５              リモコン装置
４１                キー入力部
１４，２４          設定データ格納部（設定データ記憶手段）
１６１              ＣＰＵ（第１送信手段）
１６３ａ            第１送信プログラム（第１送信手段）
２６１              ＣＰＵ（電源オンオフ手段、設定データ要求手段、第２受信手段、記憶制御手段）
２６３ａ            電源オンオフプログラム（電源オンオフ手段）
２６３ｂ            設定データ要求プログラム（設定データ要求手段）
２６３ｃ            第２受信プログラム（第２受信手段）  
２６３ｄ            記憶制御プログラム（記憶制御手段）
３３１              ＣＰＵ（第１受信手段、保存手段、認証手段、第２送信手段）
３３３ａ            第１受信プログラム（第１受信手段）
３３３ｂ            保存プログラム（保存手段）
３３３ｃ            認証プログラム（認証手段）
３３３ｄ            第２送信プログラム（第２送信手段）
６２１              ＣＰＵ（設定データ要求手段、第２受信手段、記憶制御手段、制御手段）
６２２ａ            設定データ要求プログラム（設定データ要求手段）
６２２ｂ            動作制御プログラム（制御手段）
Ｎ                  ネットワーク
【図１】
2008124862.tif 000003
【図２】
2008124862.tif 000004
【図３】
2008124862.tif 000005
【図４】
2008124862.tif 000006
【図５】
2008124862.tif 000007
【図６】
2008124862.tif 000008
【図７】
2008124862.tif 000009
【図８】
2008124862.tif 000010
【図９】
2008124862.tif 000011
【図１０】
2008124862.tif 000012
【図１１】
2008124862.tif 000013